(57)【要約】【課題】大型の転がり軸受に使用可能であって、挙動の安定性を向上でき、かつ、異音を抑制できる保持器を提供すること。【解決手段】各リベット１６が、ポケット９０の軸方向の一方側を構成する各本体部形成部材７０の第１および第２接続部８１,８２のうちの一方の接続部と、その本体部形成部材７０に周方向に隣接すると共に、ポケット９０の軸方向の一方側を構成する本体部形成部材７０の第１および第２接続部８１,８２のうちの他方の接続部とを締結するようにする。また、各リベット１６が、ポケット９０の軸方向の他方側を構成する各本体部形成部材７０の第１および第２接続部のうちの一方の接続部８１,８２と、その本体部形成部材７０に周方向に隣接すると共に、ポケット９０の軸方向の他方側を構成する本体部形成部材７０の第１および第２接続部８１,８２のうちの他方の接続部とを締結するようにする。【選択図】図４
2015004399.tif 000002
【特許請求の範囲】
【請求項１】
転がり軸受用の一体の保持器において、
Ｎを自然数とするとき、２Ｎ個存在する本体形成部材と、
複数の締結部材と
を備え、
上記各本体形成部材は、
転動体を配置するポケットの枠の略半分を構成するポケット半枠部と、
上記ポケット半枠部から上記ポケットから離れるように延在する第１接続部と、
上記ポケット半枠部から上記ポケットから上記第１接続部の延在方向とは略反対方向に離れるように延在する第２接続部と
を有し、
上記２Ｎ個の本体形成部材は、Ｎ個の上記ポケット半枠部が、周方向に互いに間隔をおいて位置すると共に、二つの上記ポケット半枠部が、一つの上記ポケットを構成するように配置され、
上記各締結部材は、上記ポケットの軸方向の一方側を構成する上記各本体部形成部材の上記第１および上記第２接続部のうちの一方の接続部と、その本体部形成部材に周方向に隣接すると共に、上記ポケットの軸方向の一方側を構成する上記本体部形成部材の上記第１および上記第２接続部のうちの他方の接続部とを締結すると同時に、上記ポケットの軸方向の他方側を構成する上記各本体部形成部材の上記第１および上記第２接続部のうちの一方の接続部と、その本体部形成部材に周方向に隣接すると共に、上記ポケットの軸方向の他方側を構成する上記本体部形成部材の上記第１および上記第２接続部のうちの他方の接続部とを締結していることを特徴とする保持器。
【請求項２】
請求項１に記載の保持器において、
上記各締結部材は、上記ポケットに配置される転動体のピッチ円に対して径方向に間隔をおいて位置していることを特徴とする保持器。
【請求項３】
請求項１または２に記載の保持器において、
上記複数の締結部材は、上記ピッチ円よりも径方向の外方側に位置する外側締結部材と、上記ピッチ円よりも径方向の内方側に位置する内側締結部材とを含んでいることを特徴とする保持器。
【請求項４】
請求項１乃至３のいずれか一つに記載の保持器において、
周方向の一端部に位置する周方向の第１端面と、
上記周方向の他端部に位置すると共に、上記第１端面に対して上記周方向に間隔をおいて位置する上記周方向の第２端面と
を有することを特徴とする保持器。
【請求項５】
内周軌道面を有する外側軌道部材と、
外周軌道面を有する内側軌道部材と、
上記内周軌道面と上記外周軌道面との間に配置された複数の上記転動体と、
上記複数の転動体を保持する請求項１乃至４のいずれか一つに記載の保持器と
を備えることを特徴とする転がり軸受。
【発明の詳細な説明】
【技術分野】
【０００１】
本発明は、保持器に関し、特に、大型の転がり軸受に使用されると好適な保持器に関する。また、本発明は、転がり軸受に関する。
【背景技術】
【０００２】
従来、保持器としては、特開２０１２−４７１９９号公報（特許文献１）に記載されているものがある。この保持器は、風力発電機に配置され、大型の転がり軸受に配置されている。この保持器は、複数のセグメントで構成され、各セグメントは、複数のころを保持するようになっている。上記各セグメントには、複数のセパレータが配置されている。各ころは、セパレータにより区切られている。
【０００３】
風力発電機や核磁気共鳴装置用の転がり軸受等、大型の転がり軸受では、環状一体型の保持器の制作が困難であることが知られている。上記保持器を、複数のセグメントで構成することによって、大型の転がり軸受でも、周方向に隣接するころの接触を防止し、ころの転動が円滑になるようにしている。
【０００４】
しかしながら、上記従来の保持器は、複数のセグメントからなるから、保持器の挙動が不安定となることがある。また、上記従来の保持器は、複数のセグメントからなって、互いに隣接する二つのセグメントのうちの少なくとも一つの間に周方向の隙間が存在するから、反負荷圏側では、セグメントがその隙間分自由落下する事によるセグメントの衝突およびその衝突に基づく異音が発生することがある。
【先行技術文献】
【特許文献】
【０００５】
【特許文献１】特開２０１２−４７１９９号公報
【発明の概要】
【発明が解決しようとする課題】
【０００６】
そこで、本発明の課題は、大型の転がり軸受に使用可能であって、挙動をより安定させることができ、かつ、異音を抑制できる保持器を提供することにある。また、本発明の課題は、保持器の挙動をより安定させることができて、保持器からの異音を抑制できる転がり軸受を提供することにある。
【課題を解決するための手段】
【０００７】
上記課題を解決するため、この発明の転がり軸受は、
転がり軸受用の一体の保持器において、
Ｎを自然数とするとき、２Ｎ個存在する本体形成部材と、
複数の締結部材と
を備え、
上記各本体形成部材は、
転動体を配置するポケットの枠の略半分を構成するポケット半枠部と、
上記ポケット半枠部から上記ポケットから離れるように延在する第１接続部と、
上記ポケット半枠部から上記ポケットから上記第１接続部の延在方向とは略反対方向に離れるように延在する第２接続部と
を有し、
上記２Ｎ個の本体形成部材は、Ｎ個の上記ポケット半枠部が、周方向に互いに間隔をおいて位置すると共に、二つの上記ポケット半枠部が、一つの上記ポケットを構成するように配置され、
上記各締結部材は、上記ポケットの軸方向の一方側を構成する上記各本体部形成部材の上記第１および上記第２接続部のうちの一方の接続部と、その本体部形成部材に周方向に隣接すると共に、上記ポケットの軸方向の一方側を構成する上記本体部形成部材の上記第１および上記第２接続部のうちの他方の接続部とを締結すると同時に、上記ポケットの軸方向の他方側を構成する上記各本体部形成部材の上記第１および上記第２接続部のうちの一方の接続部と、その本体部形成部材に周方向に隣接すると共に、上記ポケットの軸方向の他方側を構成する上記本体部形成部材の上記第１および上記第２接続部のうちの他方の接続部とを締結していることを特徴としている。
【０００８】
尚、上記周方向とは、保持器が配置される転がり軸受の周方向であり、上記軸方向とは、保持器が配置される転がり軸受の軸方向である。
【０００９】
本発明によれば、２Ｎ個の本体形成部材を締結部材で締結してなるから、転がり軸受が如何に大型のものであっても、本体形成部材の数を多くするだけで保持器を一体とすることができる。したがって、保持器が複数のセグメントで構成されないから、保持器の挙動をより安定させることができる。
【００１０】
また、本発明によれば、２Ｎ個の本体形成部材が一体となるように締結部材で締結されて、保持器が複数のセグメントで構成されないから、重力に基づくセグメント同士の衝突およびこの衝突に基づく異音が発生することがない。したがって、保持器からの異音を大幅に低減できる。
【００１１】
また、本発明によれば、各ポケットを、二つの本体形成部材で構成するから、複数の転動体を、外側軌道部材と内側軌道部材との間に配置した後で、二つの本体形成部材を、転動体を軸方向に挟み付けるように配置し、その後、その二つの本体形成部材が分離しないように締結するだけで、転がり軸受を構成できる。したがって、転がり軸受に保持器を簡易に組み付けできる。
【００１２】
また、一実施形態では、
上記各締結部材は、ポケットに配置される転動体のピッチ円に対して径方向に間隔をおいて位置している。
【００１３】
上記実施形態によれば、各締結部材が、転動体のピッチ円に対して径方向に間隔をおいて位置しているから、締結部材の保持器の配置箇所の周方向の厚さを厚くした上で、周方向に隣接する転動体の周方向の間隔を短くできる。したがって、保持器の剛性を良好に保ちながら、負荷容量を大きくできる。また、締結部材を転動体のピッチ円に周方向に重なる位置に配置した場合と比較して寿命を長くできる。
【００１４】
仮に、各締結部材を、転動体のピッチ円に周方向に重なる位置に配置すると、締結部材の配置部は、強度に関し最弱部となるため、締結部材の配置部の周方向の幅を大きくすることが必須となり、周方向に隣接する転動体間の距離が大きくなって、負荷容量が小さくなるのである。
【００１５】
また、一実施形態では、
上記複数の締結部材は、上記ピッチ円よりも径方向の外方側に位置する外側締結部材と、上記ピッチ円よりも径方向の内方側に位置する内側締結部材とを含んでいる。
【００１６】
上記実施形態によれば、本体形成部材を、ピッチ円の内側と外側との２箇所で締結するから、保持器の緩み分解を確実に防止できる。
【００１７】
また、一実施形態では、
周方向の一端部に位置する周方向の第１端面と、
上記周方向の他端部に位置すると共に、上記第１端面に対して上記周方向に間隔をおいて位置する上記周方向の第２端面と
を有する。
【００１８】
上記実施形態によれば、保持器の周方向の一カ所に切欠き部が存在するから、この切欠き部で保持器の熱膨張や製作許容差を吸収できる。したがって、保持器の歪みを抑制できて、保持器の歪みに基づく転動体の転動性の悪化を抑制できる。
【００１９】
また、本発明の転がり軸受は、
内周軌道面を有する外側軌道部材と、
外周軌道面を有する内側軌道部材と、
上記内周軌道面と上記外周軌道面との間に配置された複数の上記転動体と、
上記複数の転動体を保持する本発明の保持器と
を備えることを特徴としている。
【００２０】
本発明によれば、保持器の挙動をより安定させることができて、保持器からの異音を抑制できる。
【発明の効果】
【００２１】
本発明によれば、大型の転がり軸受に使用可能であって、挙動をより安定させることができ、かつ、異音を抑制できる保持器を実現できる。
【図面の簡単な説明】
【００２２】
【図１】本発明の一実施形態の円筒ころ軸受を軸方向の一方側から見たときの模式平面図である。
【図２】図１において外輪および内輪の図示を省略した図である。
【図３】図２の模式拡大図であり、保持器および円筒ころの全体像を示す模式図である。
【図４】図２のＡＡ線断面図である。
【図５】変形例の円筒ころ軸受の径方向の模式断面図である。
【図６】参考例の保持器を、径方向の外方側から見たときの模式図である。
【発明を実施するための形態】
【００２３】
以下、本発明を図示の形態により詳細に説明する。
【００２４】
図１は、本発明の一実施形態の円筒ころ軸受を軸方向の一方側から見たときの模式平面図である。尚、図１において、一点鎖線Ｐは、複数の円筒ころ３のピッチ円を示す。
【００２５】
図１に示すように、この円筒ころ軸受は、外側軌道部材としての外輪１と、内側軌道部材としての内輪２と、複数の円筒ころ３と、保持器４とを備え、保持器４は、樹脂製の本体部１５と、複数のリベット１６とを有する。上記円筒ころ３は、転動体を構成し、リベット１６は、締結部材を構成している。上記複数の円筒ころ３は、外輪１の内周軌道面と、内輪２の外周軌道面との間に保持器４に保持された状態で図１に矢印Ａで示す周方向に互いに間隔をおいて位置している。
【００２６】
図２に示すように、各リベット１６は、円筒ころ３のピッチ円Ｐに対して径方向に間隔をおいて位置している。上記複数のリベット１６は、ピッチ円Ｐよりも径方向の外方側に位置する外側締結部材の一例としての外側リベット６１と、ピッチ円Ｐよりも径方向の内方側に位置する内側締結部材の一例としての内側リベット６２とを含んでいる。上記外側リベット６１および内側リベット６２の夫々は、周方向に隣接する全ての二つの円筒ころ３の間に位置している。
【００２７】
図２は、図１において外輪１および内輪２の図示を省略した図である。また、図３は、図２の模式拡大図であり、円筒ころ３および保持器４の全体像を示す模式図である。尚、図３においては、リベットの図示を省略している。
【００２８】
図３に示すように、この保持器４は、非環状部材であり、周方向の一カ所に切欠き部４０を有している。詳しくは、上記保持器４は、第１端面４１と、第２端面４２とを有する。上記第１端面４１は、保持器４の周方向の一端部に位置する一方、第２端面４２は、保持器４の周方向の他端部に位置する。上記第１端面４１は、第２端面４２に対して周方向に間隔をおいて位置している。
【００２９】
図４は、図２のＡＡ線断面図である。尚、図４においては、円筒ころ３の図示を省略している。
【００３０】
図４に示すように、上記保持器４は、２Ｎ（Ｎは、自然数）個の本体形成部材７０と、複数のリベット１６とを有し、各本体形成部材７０は、ポケット半枠部８０と、第１接続部８１と、第２接続部８２とを有する。
【００３１】
上記ポケット半枠部８０は、円筒ころ３を配置するポケット９０の枠の略半分を構成している。また、上記第１接続部８１は、ポケット半枠部８０から、ポケット９０から離れる方向に周方向に延在する一方、第２接続部８２は、ポケット半枠部８０から、ポケット９０から離れる方向かつ第１接続部８１の延在方向とは略反対の周方向に延在している。
【００３２】
図４において、上記第１接続部８１および第２接続部８２の夫々は、細長い矩形の形状をしている。図４に示すように、上記第１接続部８１は、ポケット半枠部８０の一端部でかつ一端から間隔をおいた箇所から周方向に延在している。また、上記第１接続部８１は、ポケット半枠部８０の他端部でかつ他端を含む位置から周方向に延在している。
【００３３】
図４に示すように、Ｎ個のポケット半枠部８０は、周方向に互いに間隔をおいて位置している。また、Ｎ箇所の周方向の位置において、二つのポケット半枠部８０が、一つのポケット９０を構成するように軸方向に対向している。
【００３４】
図４に示すように、上記各リベット１６は、周方向に隣接するポケット９０の間で、四つの本体形成部材７０を互いに相対移動不可に締結している。上記各リベット１６は、ポケット９０の軸方向の一方側を構成する各本体部形成部材７０の第１および第２接続部８１,８２のうちの一方の接続部と、その本体部形成部材７０に周方向に隣接すると共に、ポケット９０の軸方向の一方側を構成する本体部形成部材７０の第１および第２接続部８１,８２のうちの他方の接続部とを締結している。また、上記各リベット１６は、ポケット９０の軸方向の他方側を構成する各本体部形成部材７０の第１および第２接続部のうちの一方の接続部８１,８２と、その本体部形成部材７０に周方向に隣接すると共に、ポケット９０の軸方向の他方側を構成する本体部形成部材７０の第１および第２接続部８１,８２のうちの他方の接続部とも締結している。
【００３５】
具体的には、図４に示す二つのリベット１６,１６のうちで紙面の上側のリベット１６は、紙面の上側かつ左側に示す本体部形成部材７０の第２接続部８２と、紙面の中央側かつ左側に示す本体部形成部材７０の第１接続部８１と、紙面の上側かつ右側に示す本体部形成部材７０の第１接続部８１と、紙面の中央側かつ右側に示す本体部形成部材７０の第２接続部８２とを締結している。
【００３６】
また、図４に示す二つのリベット１６,１６のうちで紙面の下側のリベット１６は、紙面の中央側かつ左側に示す本体部形成部材７０の第２接続部８２と、紙面の下側かつ左側に示す本体部形成部材７０の第１接続部８１と、紙面の中央側かつ右側に示す本体部形成部材７０の第１接続部８１と、紙面の下側かつ右側に示す本体部形成部材７０の第２接続部８２とを締結している。このような構造で、二つの本体部形成部材７０で一つのポケット９０を構成している。
【００３７】
上記実施形態によれば、２Ｎ個の本体形成部材７０をリベット１６で締結していなるから、ころ軸受が如何に大型であっても、本体形成部材７０の数を多くするだけで保持器４を一体とすることができる。したがって、保持器４が複数のセグメントで構成されることがないから、保持器４の挙動をより安定させることができる。
【００３８】
また、上記実施形態によれば、２Ｎ個の本体形成部材７０が一体となるようにリベットで締結されて、保持器４が複数のセグメントで構成されないから、重力に基づくセグメント同士の衝突およびこの衝突に基づく異音が発生することがない。したがって、保持器４からの異音を大幅に低減できる。
【００３９】
また、上記実施形態によれば、各ポケット９０を、二つの本体形成部材７０で構成するから、複数の円筒ころ３を、外輪１と内輪２との間に配置した後で、二つの本体形成部材７０を、円筒ころ３を軸方向に挟み付けるように配置し、その後、その二つの本体形成部材７０が分離しないように締結するだけで、円筒ころ軸受を構成できる。したがって、円筒ころ軸受に保持器４を簡易に組み付けできる。
【００４０】
上記実施形態によれば、上記各リベット１６が、円筒ころ３のピッチ円Ｐに対して径方向に間隔をおいて位置しているから、リベット１６が保持器４の配置箇所の周方向の厚さを厚くした上で、周方向に隣接する円筒ころ３の周方向の間隔を短くできる。したがって、保持器４の剛性を良好に保ちながら、負荷容量を大きくできる。また、リベットを円筒ころのピッチ円に周方向に重なる位置に配置した場合と比較して寿命を長くできる。
【００４１】
仮に、各リベットを、円筒ころのピッチ円に周方向に重なる位置に配置すると、リベットの配置部は、強度に関し最弱部となるため、リベットの配置部の周方向の幅を大きくすることが必須となり、周方向に隣接する円筒ころ間の距離が大きくなって、負荷容量が小さくなるのである。
【００４２】
また、上記実施形態によれば、本体形成部材７０を、ピッチ円Ｐよりも内側と外側との２箇所で締結するから、保持器４の緩み分解を確実に防止できる。
【００４３】
また、上記実施形態によれば、保持器４の周方向の一カ所に切欠き部４０が存在するから、この切欠き部４０で保持器４の熱膨張や製作許容差を吸収できる。したがって、保持器４の歪みを抑制できて、保持器４の歪みに基づく円筒ころ３の転動性の悪化を抑制できる。
【００４４】
尚、上記実施形態では、軸方向に対向配置されて一のポケット９０を構成する二つの本体形成部材７０の第１接続部８１と第２接続部８２とを、ポケット９０の周方向の一方側と他方側とでリベット１６で締結した。しかしながら、この発明では、軸方向に対向配置されて一のポケットを構成する二つの本体形成部材の第１接続部どうしを、ポケットの周方向の一方側でリベットで締結すると共に、上記二つの本体形成部材の第２接続部どうしを、ポケットの周方向の他方側でリベットで締結しても良い。
【００４５】
また、上記実施形態では、２Ｎ個の本体形成部材７０が、全て同一の部材であったが、この発明では、２Ｎ個の本体形成部材は、全て同一の部材でなくても良く、２Ｎ個の本体形成部材が、次に示す第１本体形成部材と第２本体形成部材とを含んでも良い。すなわち、第１本体形成部材は、図４に８０で示すポケット半枠部の一端部に図４に８１で示す形状と同一の形状の第１接続部を有すると共に他端部にも図４に８１で示す形状と同一の形状の第２接続部を有しても良い。また、第２本体形成部材は、図４に８０で示すポケット半枠部の一端部に図４に８２で示す形状と同一の形状の第１接続部を有すると共に他端部にも図４に８２で示す形状と同一の形状の第２接続部を有しても良い。
【００４６】
また、上記実施形態では、ピッチ円Ｐよりも径方向の外方に位置する外側リベット６１と、ピッチ円よりも径方向の内方に位置する内側リベット６２とが混在したが、この発明では、全てのリベットが、ピッチ円よりも径方向の外方に存在しても良く、または、全てのリベットが、ピッチ円よりも径方向の内方に存在しても良い。
【００４７】
また、上記実施形態では、全ての隣接する円筒ころ３の間に、二つのリベット１６,１６が存在したが、この発明では、少なくとも一つの隣接する転動体の間に一つのみのリベットが存在しても良く、または、少なくとも一つの隣接する転動体の間に三以上のリベットが存在しても良い。
【００４８】
また、上記実施形態では、ピッチ円Ｐに周方向に重なる位置にリベットが存在しなかったが、この発明では、ピッチ円Ｐに周方向に重なる位置にリベットが存在しても良い。
【００４９】
また、上記実施形態では、保持器４が、切欠き部４０を有して非環状の形状であったが、この発明では、保持器は、環状でも良い。
【００５０】
また、上記実施形態では、締結部材が、リベットであったが、締結部材は、ボルトおよびナットであっても良く、または、ビス、ねじ、ファスナー等の公知のリベット以外の締結部材であっても良い。
【００５１】
また、上記実施形態では、各本体形成部材７０の大部分が樹脂からなっていたが、この発明では、各本体形成部材の大部分または全ては、スチール材等の金属材からなっていても良い。
【００５２】
また、上記実施形態では、転動体が、円筒ころ３であったが、この発明では、転動体は、円錐ころ、凸面ころ（球面ころ）または玉であっても良い。
【００５３】
また、上記実施形態では、外側軌道部材が、外輪１であると共に、内側軌道部材が、内輪２であった。しかしながら、この発明では、外側軌道部材は、中間輪であっても良く、内側軌道部材は、中間輪または環状でない軸部材であっても良い。
【００５４】
また、上記実施形態では、保持器４が、ピッチ円よりも径方向の外方側および内方側の両方に存在していた。しかしながら、この発明では、保持器は、ピッチ円よりも径方向の外方側だけに存在しても良く、または、保持器は、ピッチ円よりも径方向の内方側だけに存在しても良い。といのは、転動体が、円錐ころである場合、保持器が、ピッチ円よりも径方向の外方側だけに存在したとしても、円円錐ころの保持器からの離脱を防止できて、円錐ころ軸受の良好な組み付け性を、確保できる場合があるからである。また、円筒ころが、外側軌道部材の鍔部で案内される場合に、保持器が、ピッチ円よりも径方向の内方側だけに存在したとしても、円筒ころの保持器からの離脱を防止できて、円筒ころ軸受の良好な組み付け性を、確保できる場合があるからである。
【００５５】
また、上記実施形態の円筒ころ軸受は、保持器４が一つのみ存在したが、この発明の転がり軸受は、二以上の保持器を有しても良い。
【００５６】
図５は、変形例の円筒ころ軸受の一部を示す模式断面図であり、変形例の円筒ころ軸受の径方向の模式断面図である。尚、図５においては、外側軌道部材および内側軌道部材の図示を省略している。
【００５７】
図５に示すように、この円筒ころ軸受は、複数の円筒ころ１０３と、第１保持器１０４と、第２保持器１０５とを備える。上記第１保持器１０４は、複数の円筒ころ１０３のピッチ円よりも径方向の外方側に位置する一方、第２保持器１０５は、ピッチ円よりも径方向の内方側に位置している。
【００５８】
図５に示すように、上記第１保持器１０４は、第２保持器１０５に対して径方向に間隔をおいて位置している。上記第１保持器１０４および第２保持器１０５の夫々は、上記実施形態と同様の構造を有し、偶数個の本体形成部材と、複数のリベットとで構成されている。上記第１保持器１０４は、周方向に隣接する二つのポケット１９０の各間に一つのみのリベット１１６を有し、第２保持器１０５も、周方向に隣接する二つのポケット１９１の各間に一つのみのリベット１１７を有する。この変形例では、円筒ころ１０３のピッチ円に周方向に重なる箇所には、如何なる保持器部分も存在しないようになっている。
【００５９】
図２および５を参照して、変形例の円筒ころ軸受の第１および第２保持器１０４,１０５は、上記実施形態の円筒ころ軸受の保持器４において、ピッチ円に周方向に重なる部分を削除して保持器４を二つに分離したときに形成される構造になっている。
【００６０】
上記変形例によれば、円筒ころ１０３のピッチ円に周方向に重なる箇所に、如何なる保持器部分も存在しないから、周方向に隣接する円筒ころ１０３の間を更に短くできて、負荷容量を更に大きくでき、転がり軸受の更なる長寿命化を実現できる。
【００６１】
尚、締結部材が存在しない次の保持器、すなわち、柱部の周方向の最短の厚さが図５および図６に示すａである一方、柱部の周方向の最長の厚さがｂである保持器で、かつ、径方向の断面が、図５に示すような形状で、径方向の外方側から見た形状が、図６に示すような形状の保持器２０４を形成すれば、転動体のピッチ円に周方向に重なる箇所に、如何なる保持器部分も存在しないから、負荷容量を大きくできて、転がり軸受の長寿命化を実現できるのは、勿論である。
【符号の説明】
【００６２】
１  外輪
２  内輪
３,１０３  円筒ころ
４,１０４,１０５  保持器
１６,１１６,１１７  リベット
４０  切欠き部
４１  保持器の第１端面
４２  保持器の第２端面
６１  外側リベット
６２  内側リベット
７０  本体形成部材
８０  ポケット半枠部
８１  第１接続部
８２  第２接続部
９０,１９０,１９１  保持器のポケット
【図１】
2015004399.tif 000003
【図２】
2015004399.tif 000004
【図３】
2015004399.tif 000005
【図４】
2015004399.tif 000006
【図５】
2015004399.tif 000007
【図６】
2015004399.tif 000008